(57)【要約】【課題】    掃き出し窓としての利便性を向上させることができ、かつ外観意匠性および止水性能に優れたサッシ窓を提供すること。【解決手段】建物外壁１の開口部５に固定される支持枠と、この支持枠に取り付けられる本窓枠とを備え、支持枠の下支持枠２２に載置面部２２５を形成し、水平シール材２５を介して、本窓枠の下本窓枠３２を載置面部２２５に載置するだけで、これらの間に水平シール材２５が挟み込まれることから、下支持枠２２および下本窓枠３２の見付け寸法が小さくなり、開口部５の下縁に対する下本窓枠３２の上面位置を低くすることができるので、掃き出し窓の場合の跨ぎ寸法や室内外の床面段差を小さくして、出入りの利便性を向上させることができる。さらに、水平シール材２５が室外空間に露出しないため、水平シール材２５の劣化が防止でき、かつ外観意匠性を良好にすることができる。【選択図】  図５
2005320740.tif 000002
【特許請求の範囲】
【請求項１】
建物外壁の開口部に固定される支持枠と、この支持枠に取り付けられるとともに、内部にパネル体を支持する本窓枠とを備え、
前記支持枠は、上支持枠、下支持枠、および左右の縦支持枠を四周枠組みして構成され、前記本窓枠は、上本窓枠、下本窓枠、および左右の縦本窓枠を四周枠組みして構成され、
前記下支持枠は、前記下本窓枠が載置される載置面部を有し、この載置面部と前記下本窓枠との間には、これらの間をシールする水平シール材が設けられているサッシ窓。
【請求項２】
前記載置面部は、略フラットに形成されており、前記水平シール材は、シート状に形成されて前記載置面部に貼り付けられている請求項１に記載のサッシ窓。
【請求項３】
前記下支持枠と前記下本窓枠とは、引寄せ手段により互いに引き寄せられている請求項１または請求項２に記載のサッシ窓。
【請求項４】
前記上支持枠には、前記上本窓枠に当接するとともに、当該上本窓枠を下方に付勢する付勢手段が設けられている請求項１から請求項３のいずれかに記載のサッシ窓。
【請求項５】
前記縦支持枠と前記縦本窓枠との間には、これらの間をシールする縦シール材が介装されており、この縦シール材の下端は、前記水平シール材の上面に接続されている請求項１から請求項４のいずれかに記載のサッシ窓。
【請求項６】
前記縦支持枠は、見付け方向内側に突出した支持片部を有し、この支持片部の室内側側面に前記縦シール材が取り付けられ、
前記縦本窓枠は、見付け方向外側に突出した取付片部を有し、この取付片部を前記縦シール材に当接させるとともに、当該取付片部と前記支持片部との係合により前記縦本窓枠が前記縦支持枠に固定される請求項５に記載のサッシ窓。
【発明の詳細な説明】
【技術分野】
【０００１】
本発明は、サッシ窓に関する。
【背景技術】
【０００２】
建物外壁の開口部に固定された開口枠（支持枠）と、この開口枠に固定されて内部にガラスパネルを支持するサッシ窓枠（本窓枠）とを備えたサッシ窓が知られている（例えば、特許文献１参照）。
特許文献１に記載されたサッシ窓は、外壁開口部の室内側に沿って設けられた木製の開口枠と、この開口枠に水密材（シール材）を介して固定されたアルミ形材製のサッシ窓枠とを有して構成されている。そして、サッシ窓の下枠部分において、サッシ窓枠は、開口枠に載置されるとともに、開口枠の室外側側面に沿って下方に延びて形成され、サッシ窓枠の室内側側面と、開口枠の室外側側面との間に、上下に延びる第１のシール材（水密材）が介装されている。また、外壁開口部の下縁には、水切り片を有した下外枠がサッシ窓枠の下方に対向して設けられており、この下外枠の上面とサッシ窓枠の下枠下面との隙間に、第２のシール材が設けられている。
【０００３】
【特許文献１】特許第３４７７４２１号公報（図２）
【発明の開示】
【発明が解決しようとする課題】
【０００４】
しかしながら、前記特許文献１に記載のサッシ窓では、サッシ窓枠が開口枠の室外側側面に沿って形成され、これら室内外に対向するサッシ窓枠および開口枠の間に第１のシール材が上下に延びて介装されているために、サッシ窓枠の見付け寸法（上下寸法）が大きくなってしまう。さらに、サッシ窓枠および下外枠の隙間に第２のシール材が設けられていることで、この隙間の分だけサッシ窓枠の開口部に対する取付位置が高くなってしまう。このため、開口部の下縁に対するサッシ窓枠の上端の位置が高くなってしまい、サッシ窓を出入り口用の掃き出し窓として利用する場合に、跨ぎ寸法が大きくなったり、室内外の床面間の段差寸法が大きくなったりすることから、出入りしにくくなるという問題がある。
また、特許文献１に記載のサッシ窓では、第２のシール材が室外空間に露出して設けられていることから、サッシ窓の外観意匠性が劣ってしまうととともに、風雨や紫外線の影響でシール材が劣化しやすく止水性能が十分に確保できないという問題もある。
【０００５】
本発明の目的は、掃き出し窓としての利便性を向上させることができ、かつ外観意匠性および止水性能に優れたサッシ窓を提供することにある。
【課題を解決するための手段】
【０００６】
本発明のサッシ窓は、建物外壁の開口部に固定される支持枠と、この支持枠に取り付けられるとともに、内部にパネル体を支持する本窓枠とを備え、前記支持枠は、上支持枠、下支持枠、および左右の縦支持枠を四周枠組みして構成され、前記本窓枠は、上本窓枠、下本窓枠、および左右の縦本窓枠を四周枠組みして構成され、前記下支持枠は、前記下本窓枠が載置される載置面部を有し、この載置面部と前記下本窓枠との間には、これらの間をシールする水平シール材が設けられていることを特徴とする。
【０００７】
ここで、本窓枠の内部に支持されるパネル体としては、本窓枠に移動不能に支持されて嵌め殺し（Ｆｉｘ）窓を構成するガラスパネル等の面材であってもよく、また本窓枠に開閉可能に支持された１枚または複数枚の障子であってもよい。パネル体が障子である場合には、例えば、引き違い窓や片引き窓、開き窓、辷り出し窓等、任意の開閉形式のサッシ窓が構成可能である。
【０００８】
このような本発明によれば、下本窓枠を載置する下支持枠の載置面部に水平シール材を設けたので、室内外の対向面間に上下に延びるシール材を配置したり、上下離隔した隙間にシール材を配置したりする必要がなく、下本窓枠を下支持枠の載置面部に載置するだけで、これらの間に水平シール材が挟み込まれることから、下支持枠および下本窓枠の見付け寸法（高さ寸法）を小さくすることができる。これにより、開口部の下縁に対する下本窓枠の上面位置を低くすることができるので、サッシ窓を掃き出し窓として利用する場合に、跨ぎ寸法や室内外の床面段差を小さくして、出入りの利便性を向上させることができる。
また、水平シール材は、下支持枠の載置面部と下本窓枠との間に挟まれて室外空間に露出せず、風雨や紫外線が直接当たらないため、これらの影響を受けにくくすることができ、劣化が防止できるとともに、室外から見えないことでサッシ窓の外観意匠性を良好にすることができる。
【０００９】
この際、本発明のサッシ窓では、前記載置面部は、略フラットに形成されており、前記水平シール材は、シート状に形成されて前記載置面部に貼り付けられていることが好ましい。
このような構成によれば、下支持枠の載置面部を略フラット、すなわち略水平かつ凹凸を少なく形成することで、下支持枠の見付け寸法をさらに小さくすることができる。また、シート状の水平シール材を載置面部に貼り付けておくことで、本窓枠を支持枠に取り付ける際に、その下本窓枠の位置合わせに手間取ることがなく、水平シール材の上に載置するだけでシールされるため、本窓枠の取付作業およびシール作業の手間を軽減することができる。
【００１０】
さらに、本発明のサッシ窓では、前記下支持枠と前記下本窓枠とは、引寄せ手段により互いに引き寄せられていることが好ましい。
このような構成によれば、引寄せ手段により下支持枠および下本窓枠が互いに引き寄せられるので、水平シール材が載置面部および下本窓枠に密着され、止水性能を向上させることができる。この際、引き寄せ手段としては、下支持枠および下本窓枠に螺合するビスや、下支持枠および下本窓枠を挟み込む弾性を有した係止金具等が利用可能である。
【００１１】
また、本発明のサッシ窓では、前記上支持枠には、前記上本窓枠に当接するとともに、当該上本窓枠を下方に付勢する付勢手段が設けられていることが好ましい。
このような構成によれば、上支持枠により上本窓枠が下方に付勢されることで、縦本窓枠を介して下本窓枠が下支持枠の載置面部に押しつけられ、水平シール材が載置面部および下本窓枠に密着され、止水性能を一層向上させることができる。この際、付勢手段としては、本窓枠の取付時に上本窓枠を下方に案内する傾斜面や、上本窓枠を下方に付勢する板ばね等の弾性部材などが利用可能である。
【００１２】
また、本発明のサッシ窓では、前記縦支持枠と前記縦本窓枠との間には、これらの間をシールする縦シール材が介装されており、この縦シール材の下端は、前記水平シール材の上面に接続されていることが好ましい。
このような構成によれば、縦シール材により縦支持枠と縦本窓枠との間をシールすることで、縦枠部分における止水性能が確保されるとともに、縦シール材の下端を水平シール材の上面に接続することで、左右の縦枠部分と下枠部分との少なくとも三方のシール材が連続するため、止水性能をさらに向上させることができる。
【００１３】
この際、本発明のサッシ窓では、前記縦支持枠は、見付け方向内側に突出した支持片部を有し、この支持片部の室内側側面に前記縦シール材が取り付けられ、前記縦本窓枠は、見付け方向外側に突出した取付片部を有し、この取付片部を前記縦シール材に当接させるとともに、当該取付片部と前記支持片部との係合により前記縦本窓枠が前記縦支持枠に固定されることが好ましい。
このような構成によれば、縦支持枠における支持片部の室内側側面に縦シール材設け、この縦シール材に縦本窓枠の取付片部を当接させることで、本窓枠を室内側から取り付け、または取り外すことができ、本窓枠の着脱を容易に実施することができる。さらに、縦シール材に縦本窓枠の取付片部を当接させた状態で、取付片部を支持片部に係合させて本窓枠を支持枠に取り付けることで、縦シール材と取付片部とを密着させて止水性能を確保することができる。
【発明を実施するための最良の形態】
【００１４】
以下、本発明の一実施形態を図面に基づいて説明する。
図１は、本発明の実施形態に係るサッシ窓である引違い窓１０を示す縦断面図である。図２は、引違い窓１０を示す横断面図である。図３は、引違い窓１０の上枠部分を拡大して示す縦断面図である。図４は、引違い窓１０の縦枠部分を拡大して示す横断面図である。図５は、引違い窓１０の下枠部分を拡大して示す縦断面図である。図６は、引違い窓１０の下枠部分をさらに拡大して示す縦断面図である。
【００１５】
図１、２において、建物の外壁１は、外壁躯体としての壁パネル２と、この壁パネル２の室外面に設けられた外装材３と、壁パネル２の室内面に設けられた石膏ボード等の内装材４とを有して構成されている。壁パネル２は、格子状等に組んだパネル芯材２Ａと、このパネル芯材２Ａの室外側に固定されたパネル面材２Ｂとで形成されている。また、外装材３は、壁パネル２の室外面にモルタルを所定厚さに吹きつけて形成したものでもよく、また予め板状に成形したセメント成形板等を壁パネル２の室外面に取り付けたものでもよい。この外壁１には、矩形状の開口部５が設けられており、この開口部５の下端縁には、建物躯体に支持された土台７が設けられている。そして、引違い窓１０は、壁パネル２および土台７に支持されている。この引違い窓１０の室内側には、内装材４の開口端縁の室内側を覆う木製の額縁材（ケーシング）６が上および左右の三方に取り付けられている。また、引違い窓１０の下枠部分において、その室内側には略同一高さ位置で室内床８が連続して設けられ、その室外側には、室内床８よりも下がった位置にバルコニー等の室外床９が設けられている。すなわち、引違い窓１０は、室内とバルコニー等との間の出入り口として利用可能な掃出し窓である。
【００１６】
引違い窓１０は、上枠体１１、下枠体１２、および左右の縦枠体１３からなる窓枠体１４と、この窓枠体１４の内側に開閉自在に支持されたパネル体としての室内外一組の障子１５と、これらの障子１５の室外側に設けられた網戸１６とを有して構成されている。窓枠体１４は、外壁１の開口部５における壁パネル２に固定される支持枠（捨て枠）２０と、この支持枠２０に取り付けられた本窓枠３０とを有している。支持枠２０は、上支持枠２１、下支持枠２２、および左右の縦支持枠２３を四周枠組みして形成され、本窓枠３０は、上本窓枠３１、下本窓枠３２、および左右の縦本窓枠３３を四周枠組みして形成されている。そして、障子１５および網戸１６は、本窓枠３０の上本窓枠３１および下本窓枠３２に設けられた後述するレール部に戸車が案内され、図２の左右方向に移動可能になっている。障子１５は、四周框組した上下左右の框材１７と、これらの框材１７の内部に嵌め込んだガラスパネル１８とを有して形成されている。
【００１７】
このように支持枠２０および本窓枠３０を有して構成された引違い窓１０において、その本窓枠３０は、半外付け用サッシ枠を転用したものであり、その上本窓枠３１および左右の縦本窓枠３３の見付け方向外側に突出した取付片部３１４，３３４（後述）を有している。すなわち、本窓枠３０は、支持枠２０を介さずに取付片部３１４，３３４を壁パネル２の室外面に直接固定することで、外壁面から室外側に突出した半外付けのサッシ窓が構成できるようになっている。このような半外付け用サッシ枠は、一般的に用いられており、その製品バリエーションや製品点数が非常に多く、本実施形態の引違い窓形式の他に、嵌め殺し窓や片引き窓、開き窓、辷り出し窓等の多数の形式のものに利用可能である。つまり、本実施形態においては、本窓枠３０としては、引違い形式のものが採用されているが、他の形式の本窓枠を採用してサッシ窓を構成することもでき、その場合でも支持枠２０が共通化できるようになっている。
【００１８】
図３に示すように、上枠体１１は、支持枠２０の上支持枠２１と、本窓枠３０の上本窓枠３１と、これらの上支持枠２１および上本窓枠３１を連結する連結部材４１と、この連結部材４１に取り付けられた下地材４２とを有して構成されている。
上支持枠２１は、アルミ押出形材製であって、外壁１の開口部５の上縁に沿って見込み方向室外側に延びる見込み片部２１１と、この見込み片部２１１の室外側端縁に連続して上方に折れ曲がり、壁パネル２の室外面に沿って延びる固定片部２１２とを有している。この固定片部２１２は、室外側からのビス２１６により壁パネル２に固定されるとともに、固定片部２１２と壁パネル２との間には、図示しないシール材や防水シート等を用いた止水構造が設けられている。そして、上支持枠２１は、固定片部２１２よりも室内側において見込み片部２１１から下方（見付け方向内側）に延びる見付け片部２１３と、この見付け片部２１３の下端（見付け方向内端）に連続して見込み方向室外側に延びる折返し片部２１４とを有している。この折返し片部２１４には、その先端から下方に延びる垂下片２１４Ａと、その下面において上本窓枠３１を下方に付勢する付勢手段としての傾斜面部２１４Ｂとが設けられている。この傾斜面部２１４Ｂは、室外側に向かって下方に下がる傾斜面を有している。さらに、上支持枠２１は、見付け片部２１３よりも室内側において見込み片部２１１から下方（見付け方向内側）に延びる支持片部２１５を有している。この支持片部２１５の下端部室内側側面には、シール材２１５Ａが取り付けられている。
【００１９】
本窓枠３０の上本窓枠３１は、室外側に配置されるアルミ押出形材製の室外部材３１Ａと、室内側に配置される樹脂製の室内部材３１Ｂとを備えて構成されている。上本窓枠３１の室外部材３１Ａは、上支持枠２１の見込み片部２１１に対向して室内外に延びる上面部３１１と、この上面部３１１から下方に延出して室外側の障子１５の上框を案内するレール部３１２、および網戸１６の上框を案内する網戸レール部３１３と、上面部３１１の室内側端部から上方（見付け方向外側）に突出し、上支持枠２１の支持片部２１５の室内側に沿って延びる取付片部３１４とを有している。また、上本窓枠３１の室内部材３１Ｂは、室外部材３１Ａのレール部３１２に係合され、かつ室外部材３１Ａにビス止め固定されており、これらの室外部材３１Ａおよび室内部材３１Ｂが、ビス３１５で連結部材４１および下地材４２に固定されている。そして、室内部材３１Ｂは、下方に延出して室内側の障子１５の上框を案内するレール部３１６と、内装材４の開口端縁と所定の間隔を有して室内側に延びる係止片部３１７とを有している。この係止片部３１７と内装材４の開口端縁との間には、額縁材６を支持するためのケーシングアタッチメント４３が係止片部３１７にビス止め固定されている。このケーシングアタッチメント４３には、室内側に開口した凹溝部４３Ａが形成されており、この凹溝部４３Ａに額縁材６の突出部６Ａが挿入されて額縁材６が取り付けられている。
【００２０】
一方、上支持枠２１および上本窓枠３１を連結する連結部材４１は、室内側に向かって開口した断面略コ字形の金属製ピース材であって、ビス４４によって壁パネル２の芯材２Ａに固定されている。さらに、連結部材４１の室外側の一辺を貫通するビス４５によって、上本窓枠３１の取付片部３１４および上支持枠２１の支持片部２１５が係合され、上本窓枠３１が上支持枠２１に取り付けられている。そして、このビス４５を締め付けることで、取付片部３１４および支持片部２１５が圧接され、支持片部２１５のシール材２１５Ａが取付片部３１４に密着するようになっている。また、連結部材４１に取り付けられた下地材４２は、連結部材４１のコ字形断面内に収まる矩形断面を有した木製部材であり、引違い窓１０の見付け方向幅寸法を略同一の長さ寸法を有している。この下地材４２は、内装材４を釘打ち等で固定するための下地として機能するとともに、連結部材４１に嵌め込むことで連結部材４１の剛性を高め、さらに断熱材としても有効に機能するようになっている。
【００２１】
以上のような上枠体１１において、本窓枠３０を室内側から取り付ける際に、上支持枠２１の傾斜面部２１４Ｂに上本窓枠３１の室外側上端縁が当接し、傾斜面部２１４Ｂに案内されて、上本窓枠３１、つまり本窓枠３０全体が下方に付勢されるようになっている。そして、本窓枠３０が下方に付勢された状態で、ビス４５を締め付けることで上本窓枠３１が位置決めされるとともに、傾斜面部２１４Ｂにより拘束されることで上本窓枠３１のねじれに対する剛性および強度が高まるようになっている。
【００２２】
次に、図４に示すように、縦枠体１３は、支持枠２０の縦支持枠２３と、本窓枠３０の縦本窓枠３３と、これらの縦支持枠２３および縦本窓枠３３を連結する連結部材４１と、この連結部材４１に取り付けられた下地材４２とを有して構成されている。
縦支持枠２３は、アルミ押出形材製であって、外壁１の開口部５の側縁に沿って見込み方向室外側に延びる見込み片部２３１と、この見込み片部２３１の室外側端縁に連続して側方（見付け方向外側）に折れ曲がり、壁パネル２の室外面に沿って延びる固定片部２３２とを有している。この固定片部２３２は、室外側からのビス２３６により壁パネル２に固定されるとともに、固定片部２３２と壁パネル２との間には、図示しないシール材や防水シート等を用いた止水構造が設けられている。そして、縦支持枠２３は、固定片部２３２よりも室内側において見込み片部２３１から見付け方向内側に延びる見付け片部２３３と、この見付け片部２３３の見付け方向内端に連続して見込み方向室外側に延びる折返し片部２３４とを有している。この折返し片部２３４の基端部には、見付け方向内端に突出して縦本窓枠３３に当接するシール材２３４Ａが設けられている。さらに、縦支持枠２３は、見付け片部２３３よりも室内側において見込み片部２３１から見付け方向内側に延びる支持片部２３５を有している。この支持片部２３５の先端部室内側側面には、縦シール材２３５Ａが取り付けられている。
【００２３】
本窓枠３０の縦本窓枠３３は、室外側に配置されるアルミ押出形材製の室外部材３３Ａと、室内側に配置される樹脂製の室内部材３３Ｂとを備えて構成されている。縦本窓枠３３の室外部材３３Ａは、縦支持枠２３の見込み片部２３１に対向して室内外に延びる側面部３３１と、この側面部３３１から見付け方向内側に延出して室外側の障子１５の縦框を案内する引寄せ片３３２および網戸１６の縦框を案内する係止片３３３と、側面部３３１の室内側よりの位置から見付け方向外側に突出し、縦支持枠２３の支持片部２３５の室内側に沿って延びる取付片部３３４とを有している。また、縦本窓枠３３の室内部材３３Ｂは、室外部材３３Ａにビス止めされるとともに、ビス３３５で連結部材４１および下地材４２に固定されている。そして、室内部材３３Ｂは、室外側の障子１５の縦框室内側面に当接するシール材３３７と、内装材４の開口端縁と所定の間隔を有して室内側に延びる係止片部３３８とを有している。この係止片部３３８と内装材４の開口端縁との間には、前述の上本窓枠３１および下本窓枠３２と同様に、額縁材６を支持するためのケーシングアタッチメント４３が係止片部３３８にビス止め固定されている。
【００２４】
一方、縦支持枠２３および縦本窓枠３３を連結する連結部材４１は、前述の上枠体１１および下枠体１２の連結部材４１と同様の部材であって、連結部材４１の室外側の一辺を貫通するビス４５によって、縦本窓枠３３の取付片部３３４および縦支持枠２３の支持片部２３５に係合されている。また、連結部材４１に取り付けられた下地材４２は、前述の上枠体１１および下枠体１２の下地材４２と同様の部材であって、内装材４を釘打ち等で固定するための下地として機能するとともに、連結部材４１に嵌め込むことで連結部材４１の剛性を高め、さらに断熱材としても有効に機能するようになっている。
以上のような縦枠体１３において、本窓枠３０を室内側から取り付ける際に、縦支持枠２３の支持片部２３５の縦シール材２３５Ａに縦本窓枠３３の取付片部３３４を押しつけ、ビス４５を締め付けることで、取付片部３３４および支持片部２３５が圧接され、支持片部２３５の縦シール材２３５Ａと取付片部３３４とが密着するようになっている。
【００２５】
次に、図５、６に示すように、下枠体１２は、支持枠２０の下支持枠２２と、本窓枠３０の下本窓枠３２と、これらの下支持枠２２と下本窓枠３２との間に介装された水平シール材２５と、下支持枠２２および下本窓枠３２を連結して引き寄せる引寄せ手段としてのビス２６とを有して構成されている。
下支持枠２２は、アルミ押出形材製であって、外壁１の土台７の上面に沿って見込み方向室外側に延びる見込み片部２２１と、この見込み片部２１１に連続して下方に延び、土台７の室外面に沿って延びる固定片部２２２と、見込み片部２２１に連続して固定片部２２２よりも室外側に延びる水切り片部２２３とを有している。固定片部２２２は、前述の上支持枠２１の固定片部２１２と同様に、室外側からのビス２２７により土台７に固定されるとともに、固定片部２２２と土台７との間に止水構造が設けられている。そして、下支持枠２２は、固定片部２２２よりも室内側において下方に延びて土台７に支持される２つの垂下片部２２４と、これら２つの垂下片部２２４間に渡って設けられた載置面部２２５とを有している。載置面部２２５は、見込み片部２２１よりも高く、さらに室外側よりも室内側が高くなった二段に形成されており、これら二段の載置面部２２５は、それぞれ略フラット、すなわち略水平、かつ凹凸なく形成されている。そして、載置面部２２５に連続した室内側には、略水平に突出するとともに室内側先端部が上方に折れ曲がった係合片部２２６が形成されている。
【００２６】
本窓枠３０の下本窓枠３２は、それぞれアルミ押出形材製の室外部材３２Ａおよび室内部材３２Ｂと、これらを連結する樹脂製の断熱部材３２Ｃとを備えて構成されている。下本窓枠３２の室外部材３２Ａは、下支持枠２２の載置面部２２５に対向して室内外に延びる底面部３２１を有している。そして、底面部３２１は、その下面に下本窓枠３２の長手方向に延びる２本の凸部３２１Ａを有しており、水平シール材２５を介して下支持枠２２の載置面部２２５に載置されている。また、室外部材３２Ａは、底面部３２１から下方に突出して下支持枠２２の載置面部２２５にに支持される２つの垂下片部３２２と、底面部３２１から上方に延出して室外側の障子１５の戸車を案内するレール部３２３および網戸１６の戸車を案内する網戸レール部３２４と、底面部３２１の室内側端部から上方に延出する立上り片部３２５とを有している。この立上り片部３２５の上端部分には室外側に突出して室外側の障子１５の下框室内側側面に当接するシール材３２５Ａが設けられている。さらに、室外部材３２Ａの底面部３２１に連続した室内側には、ビス２６で下支持枠２２に係合される係合片部３２６が形成されている。また、下本窓枠３２の室内部材３２Ｂは、下方に延びて土台７に支持される支持片部３２７と、上方に延出して室内側の障子１５の戸車を案内するレール部３２８と、室内側において上下に延びる固定片部３２９とを有している。固定片部３２９は、その上端がアングル材４６を介して室内床８に固定され、その下端部がアングル材４７を介して室内床８を支持する床支持材７Ａに固定されている。
【００２７】
水平シール材２５は、シート状に形成されたゴム等からなり、下支持枠２２の室内側の載置面部２２５に貼り付けられている。そして、水平シール材２５の上に載置された下本窓枠３２の底面部３２１下面の凸部３２１Ａが水平シール材２５に食い込み、これにより下支持枠２２と下本窓枠３２との間がシールされるようになっている。また、下支持枠２２の係合片部２２６先端の折れ曲がりによって、下本窓枠３２の係合片部３２６、つまり下本窓枠３２の見込み位置が位置決めされるようになっている。さらに、ビス２６を締め付けることで、下支持枠２２の係合片部２２６および下本窓枠３２の係合片部３２６が互いに引き寄せられ、下本窓枠３２の底面部３２１が水平シール材２５に密着されるようになっている。また、前述の上枠体１１における上支持枠２１の傾斜面部２１４Ｂによって、上本窓枠３１が下方に付勢されることで、本窓枠３０全体が下方に付勢され、これにより、下本窓枠３２の底面部３２１が水平シール材２５により一層密着されるようになっている。
【００２８】
次に、引違い窓１０における下枠体１２および縦枠体１３の止水構造について、図４〜６および図７〜９も参照して説明する。
図７は、下枠体１２における下支持枠２２の平面図である。図８は、下枠体１２および縦枠体１３の接合部分を室内側から見た斜視図である。図９は、下枠体１２および縦枠体１３の接合部分を室外側から見た斜視図である。
下支持枠２２の載置面部２２５に貼り付けられた水平シール材２５は、下支持枠２２の長手方向略全長に渡って設けられており、その両端部は、縦本窓枠３３の側面部３３１よりも外側である縦支持枠２３の見込み片部２３１近傍まで延びて設けられている。
縦枠体１３における縦支持枠２３の支持片部２３５と縦本窓枠３３の取付片部３３４との間に介装された縦シール材２３５Ａは、上下に連続して延びて設けられており、その下端部が水平シール材２５の上面に当接して接続されている。すなわち、左右の縦枠体１３における縦シール材２３５Ａ、および下枠体１２の水平シール材２５の三方のシール材が連続して形成されている。
【００２９】
このような本実施形態によれば、以下のような効果がある。
（１）すなわち、下支持枠２２の載置面部２２５に水平シール材２５を設け、この水平シール材２５の上面に下本窓枠３２の底面部３２１を載置したので、これら載置面部２２５と底面部３２１との間に水平シール材２５が挟み込まれてシールされることから、上下に延びるシール材等を配置する必要がなく、従来の下枠と比較して下枠体１２の見付け寸法（高さ寸法）を小さくすることができる。これにより、開口部５の下縁に対する下本窓枠３２の上面位置を低くすることができるので、引違い窓１０を掃き出し窓として利用する場合に、跨ぎ寸法や室内外の床面段差を小さくして、出入りの利便性を向上させることができる。
【００３０】
（２）また、水平シール材２５は、下支持枠２２の載置面部２２５と下本窓枠３２の底面部３２１との間に挟まれて室外空間に露出せず、風雨や紫外線が直接当たらないため、これらの影響を受けにくくすることができ、劣化が防止できるとともに、室外から見えないことで引違い窓１０の外観意匠性を良好にすることができる。
【００３１】
（３）さらに、下支持枠２２の載置面部２２５を略フラットに形成することで、下支持枠２２の見付け寸法をさらに小さくすることができる。そして、下本窓枠３２の底面部３２１下面に凸部３２１Ａを形成することで、この凸部３２１Ａが水平シール材２５に食い込んで確実にシールすることができる。
【００３２】
（４）また、シート状の水平シール材２５を載置面部２２５に貼り付けておくことで、本窓枠３０を支持枠２０に取り付ける際に、その下本窓枠３２の位置合わせに手間取ることがなく、水平シール材２５の上に載置するだけでシールされるため、本窓枠３０の取付作業およびシール作業の手間を軽減することができる。
【００３３】
（５）また、ビス２６を締め付けることで、下支持枠２２の係合片部２２６および下本窓枠３２の係合片部３２６が互いに引き寄せられ、下本窓枠３２の底面部３２１が水平シール材２５に密着され、止水性能を向上させることができる。
【００３４】
（６）さらに、上枠体１１における上支持枠２１の傾斜面部２１４Ｂによって、上本窓枠３１が下方に付勢されることで、本窓枠３０全体が下方に付勢され、これにより、下本窓枠３２の底面部３２１が水平シール材２５により一層密着され止水性能をさらに向上させることができる。
【００３５】
（７）また、縦シール材２３５Ａにより縦支持枠２３と縦本窓枠３３との間をシールすることで、縦枠体１３における止水性能が確保されるとともに、縦シール材２３５Ａの下端を水平シール材２５の上面に接続することで、左右の縦枠体１３における縦シール材２３５Ａ、および下枠体１２の水平シール材２５の三方のシール材が連続するため、止水性能をさらに向上させることができる。
【００３６】
（８）さらに、縦支持枠２３における支持片部２３５の室内側側面に縦シール材２３５Ａ設け、この縦シール材２３５Ａに縦本窓枠３３の取付片部３３４を当接させることで、本窓枠３０を室内側から取り付け、または取り外すことができ、本窓枠３０の着脱を容易に実施することができる。さらに、縦シール材２３５Ａに縦本窓枠３３の取付片部３３４を当接させた状態で、ビス４５で取付片部３３４を支持片部２３５に係合させて本窓枠３０を支持枠２０に取り付けることで、縦シール材２３５Ａと取付片部３３４とを密着させて止水性能を確保することができる。
【００３７】
なお、本発明は、前記各実施形態に限定されるものではなく、本発明の目的を達成できる他の構成等を含み、以下に示すような変形等も本発明に含まれる。
例えば、前記実施形態では、サッシ窓を室内外一対の障子１５を備えた引違い窓１０としたが、これに限らず、嵌め殺し窓でもよく、また片引き窓や、開き窓、辷り出し窓等、任意の開閉形式のサッシ窓が構成可能である。
また、前記実施形態では、下支持枠２２の載置面部２２５を略フラットに形成し、下本窓枠３２の底面部３２１下面に凸部３２１Ａを形成したが、これに限らず、載置面部２２５および底面部３２１ともに略フラットに形成してもよく、また両者に凹凸を設けてこれらの凹凸が互いに噛み合うように形成してもよい。
さらに、水平シール材２５を載置面部２２５に貼り付けたが、これに限らず、下本窓枠３２の底面部３２１下面に貼り付けてもよく、また貼り付け以外の方法により載置面部２２５と底面部３２１との間に配置するようにしてもよい。
【００３８】
また、前記実施形態では、縦支持枠２３と縦本窓枠３３との間をシールする縦シール材２３５Ａの下端を水平シール材２５の上面に当接させて接続したが、これに限らず、縦シール材２３５Ａと水平シール材２５とを接続する接続部材を別途設け、この接続部材により縦シール材２３５Ａと水平シール材２５とを接続してもよい。
さらに、縦シール材２３５Ａを縦支持枠２３における支持片部２３５の室内側側面に設けたが、これに限らず、縦本窓枠３３に設けてもよく、その取り付け方向等も特に限定されない。
【００３９】
その他、本発明を実施するための最良の構成、方法などは、以上の記載で開示されているが、本発明は、これに限定されるものではない。すなわち、本発明は、主に特定の実施形態に関して特に図示され、かつ説明されているが、本発明の技術的思想および目的の範囲から逸脱することなく、以上述べた実施形態に対し、形状、材質、数量、その他の詳細な構成において、当業者が様々な変形を加えることができるものである。
従って、上記に開示した形状、材質などを限定した記載は、本発明の理解を容易にするために例示的に記載したものであり、本発明を限定するものではないから、それらの形状、材質などの限定の一部もしくは全部の限定を外した部材の名称での記載は、本発明に含まれるものである。
【図面の簡単な説明】
【００４０】
【図１】本発明の一実施形態に係るサッシ窓を示す縦断面図である。
【図２】前記サッシ窓を示す横断面図である。
【図３】前記サッシ窓の上枠部分を拡大して示す縦断面図である。
【図４】前記サッシ窓の縦枠部分を拡大して示す横断面図である。
【図５】前記サッシ窓の下枠部分を拡大して示す縦断面図である。
【図６】前記サッシ窓の下枠部分をさらに拡大して示す縦断面図である。
【図７】前記サッシ窓の下枠部分における下支持枠の平面図である。
【図８】前記サッシ窓の下枠および縦枠の接合部分を室内側から見た斜視図である。
【図９】前記サッシ窓の下枠および縦枠の接合部分を室外側から見た斜視図である。
【符号の説明】
【００４１】
１…外壁、５…開口部、１０…サッシ窓である引違い窓、１１…上枠体、１２…下枠体、１３…縦枠体、１４…窓枠体、１５…パネル体である障子、２０…支持枠、２１…上支持枠、２２…下支持枠、２３…縦支持枠、２５…水平シール材、２６…引寄せ手段であるビス、３０…本窓枠、３１…上本窓枠、３２…下本窓枠、３３…縦本窓枠、２１４Ｂ…付勢手段である傾斜面部、２３５…支持片部、２３５Ａ…縦シール材、３３４…取付片部。
【図１】
2005320740.tif 000003
【図２】
2005320740.tif 000004
【図３】
2005320740.tif 000005
【図４】
2005320740.tif 000006
【図５】
2005320740.tif 000007
【図６】
2005320740.tif 000008
【図７】
2005320740.tif 000009
【図８】
2005320740.tif 000010
【図９】
2005320740.tif 000011